(57)【要約】【課題】打放しコンクリート風の意匠を損なわず、外壁の外側表面にて断熱を図ることができる打放しコンクリート又は軽量気泡コンクリート材の表面構造及びその仕上げ方法を提供する。【解決手段】既存建築物の外壁１に対し、打放しコンクリートに似せた意匠を施した打放しコンクリート又は軽量気泡コンクリート材の表面構造において、外壁１を構成する打放しコンクリートの外側表面１ａに形成されたセメント系断熱塗膜層２と、該セメント系断熱塗膜層２より上部に形成された透明塗膜防水材層４とを有するとともに、当該セメント系断熱塗膜層２又はその近傍の他の層（例えば断熱塗材層３）の表面に打放しコンクリートに似せた意匠が施されたものである。【選択図】  図１
2004231499.tif 000002
【特許請求の範囲】
【請求項１】
既存建築物の外壁又は軽量気泡コンクリート材から成る外壁に対し、打放しコンクリートに似せた意匠を施した打放しコンクリート又は軽量気泡コンクリート材の表面構造において、
外壁を構成する打放しコンクリート又は軽量気泡コンクリートの外側表面に形成されたセメント系断熱塗膜層と、
該セメント系断熱塗膜層より上部に形成された透明塗膜防水材層と、
を有するとともに、当該セメント系断熱塗膜層又はその近傍の他の層の表面に打放しコンクリートに似せた意匠が施されたことを特徴とする打放しコンクリート又は軽量気泡コンクリート材の表面構造。
【請求項２】
前記セメント系断熱塗膜層と透明塗膜防水材層との間に、防水性を有する断熱塗材層を介在させたことを特徴とする請求項１記載の打放しコンクリート又は軽量気泡コンクリート材の表面構造。
【請求項３】
前記セメント系断熱塗膜層に代えて、防水性を有する断熱塗材層を打放しコンクリート又は軽量気泡コンクリートの外側表面に形成し、該断熱塗材層の表面に打放しコンクリートに似せた意匠が施されたことを特徴とする請求項１記載の打放しコンクリート又は軽量気泡コンクリート材の表面構造。
【請求項４】
最上層に親水性の極めて高いセルフクリーニング塗膜層を形成したことを特徴とする請求項１〜請求項３のいずれか１つに記載の打放しコンクリート又は軽量気泡コンクリート材の表面構造。
【請求項５】
既存建築物の外壁又は軽量気泡コンクリート材から成る外壁に対し、打放しコンクリートに似せた意匠を施すための打放しコンクリート又は軽量気泡コンクリート材の表面仕上げ方法において、
外壁を構成する打放しコンクリート又は軽量気泡コンクリートの外側表面にセメント系断熱塗膜層を形成した後、その上部に透明塗膜防水材層を形成するとともに、当該セメント系断熱塗膜層又はその近傍の他の層の表面に打放しコンクリートに似せた意匠を施したことを特徴とする打放しコンクリート又は軽量気泡コンクリート材の表面仕上げ方法。
【請求項６】
前記セメント系断熱塗膜層を形成した後、その上部に防水性を有する断熱塗材層を形成し、更にその上部に前記透明塗膜防水材層を形成したことを特徴とする請求項５記載の打放しコンクリート又は軽量気泡コンクリート材の表面仕上げ方法。
【請求項７】
前記セメント系断熱塗膜層に代えて、防水性を有する断熱塗材層を打放しコンクリート又は軽量気泡コンクリートの外側表面に形成し、該断熱塗材層の表面に打放しコンクリートに似せた意匠を施したことを特徴とする請求項５記載の打放しコンクリート又は軽量気泡コンクリート材の表面仕上げ方法。
【請求項８】
前記透明塗膜防水材層を形成した後、最上層に親水性の極めて高いセルフクリーニング塗膜層を形成したことを特徴とする請求項５〜請求項７のいずれか１つに記載の打放しコンクリート又は軽量気泡コンクリート材の表面仕上げ方法。
【発明の詳細な説明】
【０００１】
【発明の属する技術分野】
本発明は、既存建築物の外壁又は軽量気泡コンクリート材から成る外壁に対し、打放しコンクリートに似せた意匠を施した打放しコンクリート又は軽量気泡コンクリート材の表面構造及びその仕上げ方法に関するものである。
【０００２】
【従来の技術】
打放しコンクリートは、その素材のもつ自然の美しさと重厚な趣が意匠性を高めることから、建築物に広く適用されているが、経年劣化などにより意匠性が損なわれてしまうことが多い。その場合、劣化した打放しコンクリート表面を修復して打放しコンクリート風の意匠を新たに施すことが行われている。一方、軽量気泡コンクリート材（以下、ＡＬＣ材という。）の表面に打放しコンクリート風の意匠を施し、これを建築物の外壁として使用する場合もある。（例えば、特許文献１にて開示されたものが挙げられる。）
【０００３】
ところで、上記打放しコンクリート又は軽量気泡コンクリート材を外壁とした建築物に対し、外気と屋内との間の断熱を図るべく、従来、屋内側（外壁の内側表面）に断熱材等を敷設していた。即ち、屋外側（外壁の外側表面）に断熱材等を敷設すると、建築物の外壁に施された打放しコンクリート風の意匠が隠れてしまい、意匠性が損なわれてしまうからである。
【０００４】
【特許文献１】
特公平７−５１４６６号公報
【０００５】
【発明が解決しようとする課題】
しかしながら、上記従来の如く屋内側に断熱材を敷設すると、そこに結露が生じ易くなり、その結露によってカビなどが発生してしまうという問題があった。これは、屋内においては略密閉空間とされており、通常、風通しが悪いため、結露が生じることによりカビが発生し易いという環境にあるからである。
【０００６】
本発明は、このような事情に鑑みてなされたもので、打放しコンクリート風の意匠を損なわず、外壁の外側表面にて断熱を図ることができる打放しコンクリート又は軽量気泡コンクリート材の表面構造及びその仕上げ方法を提供することにある。
【０００７】
【課題を解決するための手段】
請求項１記載の発明は、既存建築物の外壁又は軽量気泡コンクリート材から成る外壁に対し、打放しコンクリートに似せた意匠を施した打放しコンクリート又は軽量気泡コンクリート材の表面構造において、外壁を構成する打放しコンクリート又は軽量気泡コンクリートの外側表面に形成されたセメント系断熱塗膜層と、該セメント系断熱塗膜層より上部に形成された透明塗膜防水材層とを有するとともに、当該セメント系断熱塗膜層又はその近傍の他の層の表面に打放しコンクリートに似せた意匠が施されたことを特徴とする。
【０００８】
請求項２記載の発明は、請求項１記載の打放しコンクリート又は軽量気泡コンクリート材の表面構造において、前記セメント系断熱塗膜層と透明塗膜防水材層との間に、防水性を有する断熱塗材層を介在させたことを特徴とする。
【０００９】
請求項３記載の発明は、請求項１記載の打放しコンクリート又は軽量気泡コンクリート材の表面構造において、前記セメント系断熱塗膜層に代えて、防水性を有する断熱塗材層を打放しコンクリート又は軽量気泡コンクリートの外側表面に形成し、該断熱塗材層の表面に打放しコンクリートに似せた意匠が施されたことを特徴とする。
【００１０】
請求項４記載の発明は、請求項１〜請求項３のいずれか１つに記載の打放しコンクリート又は軽量気泡コンクリート材の表面構造において、最上層に親水性の極めて高いセルフクリーニング塗膜層を形成したことを特徴とする。
【００１１】
請求項５記載の発明は、既存建築物の外壁又は軽量気泡コンクリート材から成る外壁に対し、打放しコンクリートに似せた意匠を施すための打放しコンクリート又は軽量気泡コンクリート材の表面仕上げ方法において、外壁を構成する打放しコンクリート又は軽量気泡コンクリートの外側表面にセメント系断熱塗膜層を形成した後、その上部に透明塗膜防水材層を形成するとともに、当該セメント系断熱塗膜層又はその近傍の他の層の表面に打放しコンクリートに似せた意匠を施したことを特徴とする。
【００１２】
請求項６記載の発明は、請求項５記載の打放しコンクリート又は軽量気泡コンクリート材の表面仕上げ方法において、前記セメント系断熱塗膜層を形成した後、その上部に防水性を有する断熱塗材層を形成し、更にその上部に前記透明塗膜防水材層を形成したことを特徴とする。
【００１３】
請求項７記載の発明は、請求項５記載の打放しコンクリート又は軽量気泡コンクリート材の表面仕上げ方法において、前記セメント系断熱塗膜層に代えて、防水性を有する断熱塗材層を打放しコンクリート又は軽量気泡コンクリートの外側表面に形成し、該断熱塗材層の表面に打放しコンクリートに似せた意匠を施したことを特徴とする。
【００１４】
請求項８記載の発明は、請求項５〜請求項７のいずれか１つに記載の打放しコンクリート又は軽量気泡コンクリート材の表面仕上げ方法において、前記透明塗膜防水材層を形成した後、最上層に親水性の極めて高いセルフクリーニング塗膜層を形成したことを特徴とする。
【００１５】
【発明の実施の形態】
以下、本発明の実施形態について図面を参照しながら具体的に説明する。
本実施形態は、打放しコンクリートを外壁とした既存の建築物に適用されるものであり、例えば図１に示すように、打放しコンクリート１の外側表面１ａに形成されたセメント系断熱塗膜層２と、断熱塗材層３と、透明塗膜防水層４と、セルフクリーニング塗膜層５とから構成されている。
【００１６】
セメント系断熱塗膜層２は、セメントにフェライトやシリカ等断熱効果の高い軽量骨材を混合したモルタルから成り、打放しコンクリート１の外側表面１ａに塗布することにより、断熱効果に優れ、打放しコンクリート１と同等の質感を得ることができる層である。そして、その表面には、擬似の木根跡Ｐが形成されるとともに、所定の顔料などにより打放しコンクリート表面の意匠に似せた模様が形成されている。
【００１７】
断熱塗材層３は、建築物の太陽エネルギ防御被覆材としての機能を果たすもので、断熱性能とともに防水性能をも有したものである。また、断熱塗材層として、例えば、粒径２０〜３５０μのガラス質粉、シリカ質粉及びアルミナ粉のいずれか１種又は２種以上を主成分とした塗材から成り、太陽輻射に対する反射率が略４０％以上とされたもの（例えば、ニチエー吉田（株）製の商品名「ノンヒート」等）を使用するのが好ましい。
【００１８】
透明塗膜防水層４は、例えばエマルション系透明合成樹脂防水材から成る塗膜層から成り、断熱塗材層３上に形成されている。尚、ここで使用されるエマルション系合成樹脂防水材は、エチレン酢酸ビニル系、アクリル系、又はスチレンアクリル系のいずれかであるのが好ましいが、特に、アクリル系のものについては、耐久性、耐候性及び防水機能の観点から最も好ましい。このアクリル系のものの例として、ニチエー吉田（株）製の商品名「ＮＹ−７０９０」等が挙げられる。
【００１９】
セルフクリーニング塗膜層５は、透明塗膜防水層４上（即ち、最上層）に形成された透明な層であり、例えばメチルシリケートを所定の条件で加水分解した無機コーティング液を塗布して造膜させた層から成る。かかる塗膜層は、親水性が極めて高く、その表面に付着した汚れを雨水などと一緒に流し落とすことができる。
【００２０】
即ち、セルフクリーニング塗膜層５の表面に付着した汚れは、降雨時において、その下に雨水が入り込み、当該汚れを浮き上がらせた後、雨水と一緒に下方へ流れ落ちるのである。これは、セルフクリーニング塗膜層５が極めて高い親水性を有するが故奏される作用効果である。かかるセルフクリーニング塗膜層として、例えばニチエー吉田（株）製の商品名「セルフクリーン」を使用するのが好ましい。
【００２１】
次に、上記の如き打放しコンクリートの表面の仕上げ方法について説明する。まず、既存建築物の外壁の外側表面１ａに付着した汚れを高圧水洗浄機等で除去し、当該表面１ａが乾燥した後、図２に示すように、セメント系断熱材を略均一に塗布してセメント系断熱塗膜層２を形成する。そのセメント系断熱塗膜層２の表面側には、擬似的な木根跡Ｐを形成するとともに、所定顔料にて打放しコンクリート風の意匠（模様）を施しておく。
【００２２】
かかるセメント系断熱塗膜層２が乾燥した後、その表面に断熱塗材を略均一に塗布して断熱塗材層３を形成する（図３参照）。尚、かかる断熱塗材層３の表面に対して所定顔料で打放しコンクリート風の意匠（模様）を形成するようにしてもよい。そして、上記断熱塗材層３が乾燥した後、その表面に透明塗膜防水材を均一に塗布して透明塗膜防水材層４を形成して乾燥させる（図４参照）。
【００２３】
最後に、透明塗膜防水材層４上にセルフクリーニング塗膜を形成し、図１に示すように、最上層にセルフクリーニング塗膜層５が形成された表面構造を得る。かかる表面構造によれば、外壁の外側表面にて断熱するため、従来の如き結露が生じて屋内にカビ等が発生することがなく、且つ、外壁表面に付着した汚れを雨水などにより自然に落とすことができ、メンテナンスを容易とすることができる。
【００２４】
以上、本実施形態について説明したが、本発明はこれに限定されず、例えば打放しコンクリート１に代えてＡＬＣ材の表面構造として適用することができる。即ち、本発明は、既存建築物の外壁やＡＬＣ材から成る外壁など、打放しコンクリートに似せた意匠を新たに形成する必要がある外壁に対して有効なのである。また、図５に示すように、ＡＬＣ材６の外側表面にセメント系断熱塗膜層２、断熱塗材層４及びセルフクリーニング塗膜層５を形成したものとしてもよい。
【００２５】
更に、本実施形態においては、セメント系断熱塗膜層２と透明塗膜防水層４との間に断熱塗材層３が介在しているが、かかる断熱塗材層３を省略して、外壁１の外側表面１ａに対し順にセメント系断熱塗膜層２、透明塗膜防水層４及びセルフクリーニング塗膜層５を形成したものとしてもよい。尚、外壁の外側表面における断熱効果のみを期待するものであれば、最上面のセルフクリーン塗膜層５を形成しなくてもよい。
【００２６】
また更に、セメント系断熱塗膜層２に代えて、防水性を有する断熱塗材層３を直接打放しコンクリート１又は軽量気泡コンクリート６の外側表面に形成し、該断熱塗材層３の表面に、例えば所定の顔料などにて打放しコンクリートに似せた意匠を施すようにしてもよい。かかる構成によっても、断熱塗材層３による断熱効果を奏することができるとともに、セメント系断熱塗膜層２の如き膜厚が大きな層を省略することができる。
【００２７】
【発明の効果】
請求項１又は請求項５の発明によれば、外壁を構成する打放しコンクリート又は軽量気泡コンクリートの外側表面にセメント系断熱塗膜層を形成するとともに、当該セメント系断熱塗膜層又はその近傍の他の層の表面に打放しコンクリートに似せた意匠を施したので、打放しコンクリート風の意匠を損なわず、外壁の外側表面にて断熱を図ることができる。
【００２８】
請求項２又は請求項６の発明によれば、セメント系断熱塗膜層と透明塗膜防水材層との間に、防水性を有する断熱塗材層を介在させたので、建築物の外壁における断熱効果及び防水効果を更に高めることができる。
【００２９】
請求項３又は請求項７の発明によれば、セメント系断熱塗膜層に代えて、防水性を有する断熱塗材層を打放しコンクリート又は軽量気泡コンクリートの外側表面に形成し、該断熱塗材層の表面に打放しコンクリートに似せた意匠が施されているので、当該断熱塗材層による断熱効果を奏しつつ、セメント系断熱塗膜層の如く膜厚が大きな層を省略することができる。
【００３０】
請求項４又は請求項８の発明によれば、透明塗膜防水材層上に超親水性のセルフクリーニング塗膜層を形成したので、外壁の断熱効果に加えて、防汚効果を図ることができる。即ち、外壁の表面のセルフクリーニング塗膜層に汚れが付着した場合、雨水等がその汚れとセルフクリーニング塗膜層との間にまで浸透して、当該汚れと一緒に流れてしまうので、防汚効果が高いのである。
【図面の簡単な説明】
【図１】本発明の実施形態に係る打放しコンクリートの表面構造を示す断面模式図
【図２】本発明の実施形態に係る打放しコンクリートの表面仕上げ方法を示す断面模式図（セメント系断熱塗膜層が形成された状態）
【図３】本発明の実施形態に係る打放しコンクリートの表面仕上げ方法を示す断面模式図（セメント系断熱塗膜層及び断熱塗材層が形成された状態）
【図４】本発明の実施形態に係る打放しコンクリートの表面仕上げ方法を示す断面模式図（セメント系断熱塗膜層、断熱塗材層及び透明塗膜防水層が形成された状態）
【図５】本発明の他の実施形態に係る軽量気泡コンクリート材の表面構造を示す断面模式図
【符号の説明】
１…外壁（打放しコンクリート）
１ａ…外側表面
２…セメント系断熱塗膜層
３…断熱塗材層
４…透明塗膜防水層
５…セルフクリーニング塗膜層
６…外壁（ＡＬＣ材）
【図１】
2004231499.tif 000003
【図２】
2004231499.tif 000004
【図３】
2004231499.tif 000005
【図４】
2004231499.tif 000006
【図５】
2004231499.tif 000007